(57)【要約】【課題】  部品点数および取付工数が少なく、パネル同士を容易に連結できるとともに、外観を向上させることができるパネルの連結構造を提供する。【解決手段】  パネル１，１同士を当接させた状態で連結するパネル１の連結構造であって、パネル１，１にはそれぞれ、当接面９から垂直に延びるボルト挿入穴５，５と、垂直面１０からボルト挿入穴５に垂直に交差するナット挿入穴６，６と、が形成されるとともに、レンチ挿入穴７が形成され、ナット挿入穴６，６にそれぞれ挿入される順ナット２Ａおよび逆ナット２Ｂと、順ねじ４ａ、逆ねじ４ｂおよび操作部４ｃを有し、ボルト挿入穴５，５に挿入され、操作部４ｃを介してレンチ１１で回されることにより、順ねじ４ａが順ナット２Ａに、逆ねじ４ｂが逆ナット２Ｂにねじ込まれることによって、パネル１，１を連結するボルト４と、を備えている。【選択図】  図５
2006241947.tif 000002
【特許請求の範囲】
【請求項１】
２つのパネルをそれらの当接面同士を当接させた状態で連結するパネルの連結構造であって、
前記２つのパネルにはそれぞれ、
前記当接面から当該当接面に対して垂直に延び、前記当接面同士を当接させたときに互いに連続するボルト挿入穴と、
前記当接面に対して垂直な垂直面から前記ボルト挿入穴に垂直に交差するように延びるナット挿入穴と、が形成されるとともに、
前記２つのパネルの少なくとも一方の前記垂直面には、前記ボルト挿入穴に通じるレンチ挿入穴が形成されており、
順ねじ孔を有し、一方の前記ナット挿入穴に、前記順ねじ孔が前記ボルト挿入穴に位置するように挿入される順ナットと、
逆ねじ孔を有し、他方の前記ナット挿入穴に、前記逆ねじ孔が前記ボルト挿入穴に位置するように挿入される逆ナットと、
一端部および他端部に順ねじおよび逆ねじをそれぞれ有するとともに、前記順ねじと前記逆ねじの間に断面多角形の操作部を有し、前記２つのボルト挿入穴に挿入され、前記レンチ挿入穴に挿入したレンチで前記操作部を介して所定の方向に回されることにより、前記順ねじが前記順ナットの前記順ねじ孔にねじ込まれると同時に、前記逆ねじが前記逆ナットの前記逆ねじ孔にねじ込まれることによって、前記２つのパネルを互いに引き寄せ、連結するボルトと、
を備えていることを特徴とするパネルの連結構造。
【請求項２】
前記２つの当接面の少なくとも１つは、前記パネルの側面であり、前記ボルト挿入穴は、前記少なくとも１つの側面の厚さ方向の中心に配置されていることを特徴とする、請求項１に記載のパネルの連結構造。
【請求項３】
前記２つのパネルは互いに同じ厚さを有し、
当該２つのパネルの側面には、厚さ方向の中心に、当該側面に対して垂直に延びる側面穴がそれぞれ形成され、
前記２つのパネルの前記側面に対して垂直な正面には、前記側面から当該パネルの厚さの１／２の位置に、前記側面穴に垂直に交差するように延びる正面穴がそれぞれ形成されており、
前記２つのパネルを前記側面同士を当接させた状態で連結するときには、前記２つの側面穴によって前記２つのボルト挿入穴が構成されるとともに、前記２つの正面穴によって前記２つのナット挿入穴が構成され、
前記２つのパネルを、その一方の前記側面を他方の前記正面に当接させた状態で連結するときには、前記一方のパネルの前記側面穴および前記他方のパネルの前記正面穴によって前記２つのボルト挿入穴が構成されるとともに、前記一方のパネルの前記正面穴および前記他方のパネルの前記側面穴によって前記２つのナット挿入穴が構成されることを特徴とする、請求項１に記載のパネルの連結構造。
【発明の詳細な説明】
【技術分野】
【０００１】
本発明は、パネル同士を連結するパネルの連結構造に関し、特に、防音室に用いられるパネル同士を連結するパネルの連結構造に関する。
【背景技術】
【０００２】
従来のこの種のパネルの連結構造として、例えば特許文献１に開示されたものが知られている。このパネルの連結構造は、左右のパネルを並列に連結するものであり、これらの当接面同士が当接した状態で、連結具によって互いに連結されている。具体的には、左パネルには、その前面と当接面との角部に開放した切欠が形成されており、この切欠の背面には、台形状の水平断面を有する左受金具が、背面から前方に突出した状態で、ねじで固定されている。右パネルは、左パネルと左右対称に構成されており、その切欠の背面には、左受金具と左右対称の右受金具がねじで固定されている。両パネルの当接面同士が当接した状態では、左受金具および右受金具も互いに当接しており、両者により、前方に突出した等脚台形状の水平断面を有する受金具が形成されている。
【０００３】
連結具は、受金具の外形と相似形状の金属板で構成されており、中央部と、その両端から後方にそれぞれ折れ曲がる左押圧部および右押圧部で構成され、前方から受金具にかぶせられるとともに、中央部において、左受金具および右受金具の前面部に２本のねじで固定されている。この状態では、ねじの締付によって、連結具の左右の押圧部が受金具の左右の斜面部をそれぞれ押圧している。したがって、左右のパネルは、連結具によって、互いに押圧された状態で連結されており、それにより、パネル同士の所要の密着性を確保するようにしている。
【０００４】
しかし、この連結構造では、左受金具、右受金具、２本のねじ、連結具、および２本のねじが必要であり、部品点数が非常に多い。また、パネルを連結する際には、両パネルに左受金具，右受金具を２本のねじでそれぞれ固定した後、連結具を左受金具，右受金具に２本のねじでそれぞれ固定しなければならず、取付工数も多く、パネルの連結作業が煩雑である。また、切欠、および連結具の全体がパネルの前面に現れるため、外観が良好でない。特に、パネル同士の密着性や連結強度を高めるために、例えば連結具を大型化した場合には、さらに外観を損なう。また、パネルが前部のみで連結されるので、パネルの連結を前後バランス良く行うことができず、パネルの後部側において十分な密着性を得られないおそれがある。
【０００５】
【特許文献１】特開２００４−９２３０１号公報
【０００６】
本発明は、上記の課題を解決するためになされたものであり、部品点数および取付工数が少なく、パネル同士を容易に連結できるとともに、外観を向上させることができるパネルの連結構造を提供することを目的とする。
【発明の開示】
【課題を解決するための手段】
【０００７】
この目的を達成するため、請求項１に係る発明は、２つのパネルをそれらの当接面同士を当接させた状態で連結するパネルの連結構造であって、２つのパネルにはそれぞれ、当接面から当接面に対して垂直に延び、当接面同士を当接させたときに互いに連続するボルト挿入穴と、当接面に対して垂直な垂直面からボルト挿入穴に垂直に交差するように延びるナット挿入穴と、が形成されるとともに、２つのパネルの少なくとも一方の垂直面には、ボルト挿入穴に通じるレンチ挿入穴が形成されており、順ねじ孔を有し、一方のナット挿入穴に、順ねじ孔がボルト挿入穴に位置するように挿入される順ナットと、逆ねじ孔を有し、他方のナット挿入穴に、逆ねじ孔がボルト挿入穴に位置するように挿入される逆ナットと、一端部および他端部に順ねじおよび逆ねじをそれぞれ有するとともに、順ねじと逆ねじの間に断面多角形の操作部を有し、２つのボルト挿入穴に挿入され、レンチ挿入穴に挿入したレンチで操作部を介して所定の方向に回されることにより、順ねじが順ナットの順ねじ孔にねじ込まれると同時に、逆ねじが逆ナットの逆ねじ孔にねじ込まれることによって、２つのパネルを互いに引き寄せ、連結するボルトと、を備えていることを特徴とする。
【０００８】
このパネルの連結構造によれば、２つのパネルを連結する際には、まず、一方のパネルのナット挿入穴に、順ナットを、その順ねじ孔がボルト挿入穴に位置するように挿入するとともに、他方のパネルのナット挿入穴に、逆ナットを、その逆ねじ孔がボルト挿入穴に位置するように挿入する。次に、２つのパネルの当接面同士を対向させた状態で、ボルトを２つのボルト挿入穴に挿入する。その際、ボルトの順ねじ側を、順ナットを挿入したナット挿入穴側のボルト挿入穴に挿入し、逆ねじ側を、逆ナットを挿入したナット挿入穴側のボルト挿入穴に挿入する。次いで、レンチをレンチ挿入穴に挿入し、ボルトの操作部に係合させ、操作部を介してボルトを所定の方向に回すことにより、ボルトの順ねじが順ナットの順ねじ孔にねじ込まれると同時に、逆ねじが逆ナットの逆ねじ孔にねじ込まれる。これにより、順ナットおよび逆ナットが互いに引き寄せられ、各ナット挿入穴の壁面を押圧することによって、２つのパネルが互いに引き寄せられ、最終的に、それらの当接面同士が当接した状態で、２つのパネルが連結される。
【０００９】
以上のように、順ナットおよび逆ナットを両パネルのナット挿入穴に挿入し、ボルトを両パネルのボルト挿入穴に挿入するとともに、ボルトをレンチで回転操作するだけで、２つのパネルを引き寄せ、連結することができるので、従来と比較して、取付工数が少なくなるとともに、連結作業を容易に行うことができる。また、２つのパネルが互いに押圧された状態で連結されており、それにより、パネル同士の所要の密着性が確保されるので、例えば、本発明を防音室の壁を構成するパネルに適用した場合には、防音性を十分に確保することができる。さらに、レンチによるボルトの締め付けの度合により、パネル同士の密着度合を容易に調整することができる。また、この連結構造では、その構成部品として、順ナット、逆ナットおよびボルトの３つのみが必要であり、従来と比較して、部品点数を削減することができる。また、パネルが連結された状態では、ボルトは、両ボルト挿入穴に収容されており、外部からは見えないので、パネルの外観を良好に維持することができる。
【００１０】
請求項２に係る発明は、請求項１に記載のパネルの連結構造において、２つの当接面の少なくとも１つは、パネルの側面であり、ボルト挿入穴は、少なくとも１つの側面の厚さ方向の中心に配置されていることを特徴とする。
【００１１】
この構成によれば、２つのボルト挿入穴の少なくとも１つが、パネルの側面の厚さ方向の中心に配置されているので、２つのパネルの引き寄せおよび連結を、パネルの側面の中心に配置されたボルト挿入穴を中心として、そのパネルの厚さ方向で前後バランス良く行うことができ、パネルの密着性をさらに向上させることができる。同じ理由から、パネルの当接面において応力分布のばらつきがほとんど生じないので、パネルの割れなどを防止することができる。
【００１２】
請求項３に係る発明は、請求項１に記載のパネルの連結構造において、２つのパネルは互いに同じ厚さを有し、２つのパネルの側面には、厚さ方向の中心に、側面に対して垂直に延びる側面穴がそれぞれ形成され、２つのパネルの側面に対して垂直な正面には、側面からパネルの厚さの１／２の位置に、側面穴に垂直に交差するように延びる正面穴がそれぞれ形成されており、２つのパネルを側面同士を当接させた状態で連結するときには、２つの側面穴によって２つのボルト挿入穴が構成されるとともに、２つの正面穴によって２つのナット挿入穴が構成され、２つのパネルを、その一方の側面を他方の正面に当接させた状態で連結するときには、一方のパネルの側面穴および他方のパネルの正面穴によって２つのボルト挿入穴が構成されるとともに、一方のパネルの正面穴および他方のパネルの側面穴によって２つのナット挿入穴が構成されることを特徴とする。
【００１３】
この構成によれば、２つのパネルの厚さが互いに同じであり、また、各パネルの側面の厚さ方向の中心に側面穴が形成されるとともに、正面穴が、側面からパネルの厚さの１／２の位置に配置されている。したがって、２つのパネルを互いに並列に連結する平連結の場合には、両パネルの側面同士を対向させ、２つの側面穴にボルトをそれぞれ挿入し、２つの正面穴に２つのナットをそれぞれ挿入することによって、２つのパネルを、それらの正面および背面が面一の状態で連結することができる。また、２つのパネルを互いに直角に連結するコーナー連結の場合には、一方のパネルの側面と他方のパネルの正面を互いに対向させ、一方のパネルの側面穴および他方のパネルの正面穴にボルトをそれぞれ挿入し、一方のパネルの正面穴および他方のパネルの側面穴に２つのナットをそれぞれ挿入することによって、一方のパネルの背面と他方のパネルの側面が面一の状態で、２つのパネルを連結することができる。以上のように、この構成によれば、２つのパネルおよびボルトやナットなどを、平連結およびコーナー連結のいずれの場合にも共用でき、それにより、製造コストを削減することができる。また、２つのパネルの側面穴がいずれも、パネルの厚さ方向の中心に配置されているので、平連結およびコーナー連結のいずれの場合にも、２つのパネルの引き寄せおよび連結を、パネルの厚さ方向の中心でバランス良く行うことができ、したがって、請求項２の効果を得ることができる。
【発明を実施するための最良の形態】
【００１４】
以下、本発明の好ましい実施形態を、図面を参照しながら、詳細に説明する。図１は、本発明を適用したパネルの連結構造を示している。このパネル１は、例えば防音室の壁を構成するものであり、同図の例は、左右の２つのパネル１，１を並列に連結した平連結の場合を示している。左右のパネル１，１は、上下各１組のナット２，２およびボルト４などによって、側面９，９同士が当接した状態で、連結されている。以下、適宜、パネル１の左右の側面９，９を「左側面９Ｌ」，「右側面９Ｒ」と呼び、さらに、平連結される場合の左右のパネル１，１を「左パネル１Ｌ」，「右パネル１Ｒ」と呼ぶものとする。
【００１５】
図１に示すように、左右のパネル１Ｌ，１Ｒは互いに同じ構成である。各パネル１は、遮音性を有する材料、例えばＭＤＦやパーティクルボードなどで構成された矩形の板材で構成され、所定の厚さＴ１を有している。パネル１の上端部および下端部にはそれぞれ、側面穴５，５、正面穴６，６およびレンチ挿入穴７が形成されており、これらは互いに同じ構成であるとともに、上下対称に配置されている。以下、側面穴５、正面穴６およびレンチ挿入穴７について、パネル１の上端部のものを例にとり、説明する。
【００１６】
図２に示すように、側面穴５，５は、左右の側面９Ｌ，９Ｒの上端部の同じ高さの位置にそれぞれ形成されている（以下、適宜「左側面穴５Ｌ」，「右側面穴５Ｒ」という）。各側面穴５は、パネル１の厚さ方向の中心に配置され、断面が円形（図１（ｂ）参照）で所定の径および長さを有し、側面９に対して垂直に延びている。すなわち、各側面穴５は、その中心がパネル１の正面１０からＴ２（＝（１／２）Ｔ１）の位置に配置されている。また、正面穴６，６は、パネル１の正面１０の左右の端部に形成されている（以下、適宜「左正面穴６Ｌ」，「右正面穴６Ｒ」という）。左右の正面穴６Ｌ，６Ｒは、その中心が左右の側面９Ｌ，９ＲからそれぞれＴ２の位置に配置され、側面穴５と同じ径および長さを有し、正面１０に対して垂直に延び、左右の側面穴５Ｌ，５Ｒに垂直にそれぞれ交差している。
【００１７】
レンチ挿入穴７は、パネル１の正面１０の左側面９Ｌと左正面穴６Ｌとの間に形成されている。このレンチ挿入穴７は、上下方向に延びるスリット状のものであり、左側面穴５Ｌに通じている。また、パネル１の左側面９Ｌには、前後２つのクッション材８，８が貼り付けられている（図５参照）。各クッション材８は、例えば発泡ウレタンや硬いゴムなどで構成された帯状のものであり、パネル１の上下方向の全体に渡り、連続的に延びている。
【００１８】
ナット２，２は、順ナット２Ａおよび逆ナット２Ｂで構成されている。各ナット２は、金属合金、例えば亜鉛合金ダイカストで構成され、図４に示すように、細長い中実の円柱状のものであり、その長さおよび径は、側面穴５および正面穴６の長さおよび径にそれぞれほぼ等しい。各ナット２の一端部には、ナット２の長さ方向に対して垂直に貫通するねじ孔３が形成されている。ねじ孔３は、順ナット２Ａでは順ねじ孔３ａによって構成され、逆ナット２Ｂでは逆ねじ孔３ｂによって構成されている。ナット２の一端面からねじ孔３の中心までの距離は、正面穴６の底面から側面穴５の中心までの距離に等しく、それにより、ナット２を正面穴６に、その底面に当たるまで挿入することによって、ねじ孔３が側面穴５に合致するようにナット２を長さ方向の所定位置に容易に位置決めできる。
【００１９】
また、ナット２の他端面には、ドライバー溝２ａが形成されている。このドライバー溝２ａは、プラスおよびマイナスドライバー兼用であり、ナット２の挿入後にその角度を調整するためのものである。ドライバー溝２ａのマイナス溝の延び方向は、ナット２のねじ孔３の貫通方向に一致しており（図４（ｂ）参照）、それにより、ナット２をマイナス溝が水平になるように回すことによって、ねじ孔３が側面穴５に合致するようにナット２の角度を所定の角度に容易に調整することができる。なお、これらの順ナット２Ａおよび逆ナット２Ｂとして、市販されているものを使用することが可能である。
【００２０】
ボルト４は、金属で構成され、図３に示すように、断面が正六角形の本体部４ｃ（操作部）と、その両端部に形成された順ねじ４ａおよび逆ねじ４ｂで構成されている。また、本体部４ｃの中央部には、例えば合成樹脂などで構成された筒状の心合わせ部材４ｄが嵌め込まれている（図５参照）。心合わせ部材４ｄの外径は、側面穴５の径よりも若干小さい。この構成により、心合わせ部材４ｄは、ボルト４をパネル１Ｌ，１Ｒの側面穴５Ｒ，５Ｌにそれぞれ挿入したときに、側面穴５，５にまたがるように緩く嵌合することによって、パネル１Ｌ，１Ｒ同士を前後方向の所定位置に位置決めすると同時に、ボルト４を側面穴５Ｒ，５Ｌの中心に位置決めする（心合わせする）役割を果たす。
【００２１】
次に、上記の構成の連結構造によりパネル１，１を連結する方法を説明する。図１に示すように左右のパネル１Ｌ，１Ｒを平連結する場合には、図５に示すように、まず、左パネル１Ｌの右正面穴６Ｒに例えば順ナット２Ａを、右パネル１Ｒの左正面穴６Ｌに逆ナット２Ｂを、正面穴６Ｒ，６Ｌの底面に当たるまでそれぞれ挿入する。次に、順ナット２Ａおよび逆ナット２Ｂをドライバー溝２ａを介してドライバーで回転させ、そのマイナス溝が水平になるようにする。
【００２２】
次いで、左パネル１Ｌの右側面９Ｒと右パネル１Ｒの左側面９Ｌを対向させた状態で、ボルト４を左右の側面穴５Ｌ，５Ｒに挿入する。その際、ボルト４の順ねじ４ａ側を左パネル１Ｌの右側面穴５Ｒに挿入し、逆ねじ４ｂ側を右パネル１Ｒの左側面穴５Ｌに挿入する。次いで、六角レンチ１１を、レンチ挿入穴７に挿入し、ボルト４の本体部４ｃに係合させた状態で、本体部４ｃを介して回転操作することによって、ボルト４を所定の方向に回す。これにより、ボルト４の順ねじ４ａが順ナット２Ａの順ねじ孔３ａにねじ込まれると同時に、逆ねじ４ｂが逆ナット２Ｂの逆ねじ孔３ｂにねじ込まれる。これにより、順ナット２Ａおよび逆ナット２Ｂが互いに引き寄せられ、右正面穴６Ｒおよび左正面穴６Ｌの壁面を押圧することによって、２つのパネル１Ｌ，１Ｒが互い引き寄せられる。そして、最終的に、パネル１Ｌ，１Ｒの側面９Ｒ，９Ｌ同士がクッション材８，８を介して当接した状態で、左右のパネル１Ｌ，１Ｒが連結される。なお、ナット２に、そのドライバー溝２ａを覆うように、目隠し用のキャップを取り付けてもよい。
【００２３】
次に、図６を参照しながら、パネル１，１をコーナー連結する方法について説明する。この場合には、まず、一方のパネル１の左正面穴６Ｌに例えば逆ナット２Ｂを、他方のパネル１の右側面穴５Ｒに順ナット２Ａを、平連結の場合と同様にしてそれぞれ挿入する。次いで、一方のパネル１の左側面穴５Ｌと他方のパネル１の右正面穴６Ｒとを対向させた状態で、ボルト４を、これらの左側面穴５Ｌおよび右正面穴６Ｒに挿入する。その際、ボルト４の逆ねじ４ｂ側を左側面穴５Ｌに挿入するとともに、順ねじ４ａ側を右正面穴６Ｒに挿入する。次いで、六角レンチ１１をレンチ挿入穴７に挿入し、ボルト４の本体部４ｃを介してボルト４を所定の方向に回す。これにより、前述した平連結の場合と同様にして、パネル１，１が互いに引き寄せられる。そして、最終的に、一方のパネル１の側面９Ｌおよび他方のパネル１の正面１０がクッション材８，８を介して当接した状態で、パネル１，１が連結される。
【００２４】
以上のように、本実施形態によれば、順ナット２Ａ、逆ナット２Ｂおよびボルト４を、パネル１，１の側面穴５，５および正面穴６，６に選択的に挿入し、ボルト４を六角レンチ１１で回転操作するだけで、２つのパネル１，１を引き寄せ、連結することができるので、従来と比較して、取付工数が少なくなるとともに、連結作業を容易に行うことができる。また、２つのパネル１，１が互いに押圧された状態で連結されており、それにより、パネル１，１同士の所要の密着性が確保されるので、パネル１で構成される防音室の防音性を十分に確保することができる。さらに、六角レンチ１１によるボルト４の締め付けの度合により、パネル１，１同士の密着度合を容易に調整することができる。また、この連結構造では、その構成部品として、順ナット２Ａ、逆ナット２Ｂ、ボルト４および心合わせ部材４ｄの４つのみが必要であり、従来と比較して、部品点数を削減することができる。さらに、順ナット２Ａおよび逆ナット２Ｂとして、市販されているものを使用することが可能なので、製造コストを抑えることができる。
【００２５】
また、２つのパネル１，１は互いに同じ構成であり、各パネル１の側面９の厚さ方向の中心に側面穴５が形成されるとともに、正面穴６が、側面９からパネル１の厚さの１／２の位置に配置されている。したがって、平連結の場合には、左右のパネル１Ｌ，１Ｒの側面９Ｒ，９Ｌ同士を対向させ、それらの側面穴５Ｒ，５Ｌにボルト４をそれぞれ挿入し、正面穴６，６にナット２，２をそれぞれ挿入することによって、左右のパネル１Ｌ，１Ｒを、それらの正面１０および背面が面一の状態で平連結することができる。また、コーナー連結の場合には、一方のパネル１の左側面穴５Ｌと他方のパネル１の右正面穴６Ｒを互いに対向させ、これらの左側面穴５Ｌおよび右正面穴６Ｒにボルト４をそれぞれ挿入し、これら以外の残りの右側面穴５Ｒおよび左正面穴６Ｌにナット２Ａ，２Ｂをそれぞれ挿入することによって、一方のパネル１の背面と他方のパネル１の側面９が面一の状態で、２つのパネル１，１をコーナー連結することができる。
【００２６】
以上のように、２つのパネル１，１およびボルト４やナット２などを、平連結およびコーナー連結のいずれの場合にも共用でき、それにより、製造コストを削減することができる。また、パネル１，１が連結された状態では、ボルト４は、側面穴５や正面穴６に収容されており、外部からは見えないので、パネル１，１の外観を良好に維持することができる。
【００２７】
また、２つのパネル１，１の側面穴５，５がいずれもパネル１の厚さ方向の中心に配置されているので、平連結およびコーナー連結のいずれの場合にも、パネル１，１の引き寄せおよび連結を、側面穴５を中心として、そのパネル１の厚さ方向で前後バランス良く行うことができる。したがって、パネル１の密着性をさらに向上させることができる。同じ理由から、パネル１の当接面において応力分布のばらつきがほとんど生じないので、パネル１の割れなどを防止することができる。また、ボルト４に設けた心合わせ部材４ｄによって、ボルト４を挿入したときに、パネル１，１およびボルト４の３者を互いの所定位置に位置決めすることができるとともに、連結後において、パネル１，１同士の当接面に沿う方向のずれやがたつきを防止することができる。
【００２８】
なお、本発明は、説明した実施形態に限定されることなく、種々の態様で実施することが可能である。例えば、本実施形態では、２つのパネル１，１が互いに同じ構成であるが、大きさや厚さなどが互いに異なってもよく、例えば、平連結用のパネルとコーナー連結用のパネルの構成を互いに異ならせてもよい。また、側面穴５がパネル１の厚さ方向の中心に配置されているが、これに限らず、側面穴５の位置は任意であり、同様に、正面穴６の位置も任意である。さらに、実施形態では、パネル１の左正面穴６Ｌの付近にのみレンチ挿入穴７が形成されているが、これに代えてまたはこれとともに、レンチ挿入穴７を右正面穴６Ｒの付近に形成してもよい。また、ボルト４の本体部４ｃの断面が正六角形であるが、各種のレンチで回転操作可能であれば、他の多角形でもよい。さらに、本発明は、防音室に限らず、他の用途に用いられるパネルの連結に適用できることはもちろんである。その他、本発明の趣旨の範囲内で、細部の構成を適宜、変更することが可能である。
【図面の簡単な説明】
【００２９】
【図１】本発明のパネルの連結構造を適用した２つのパネルの（ａ）正面図および（ｂ）側面図である。
【図２】パネルの上端部を示す（ａ）左右の角部の部分拡大正面図、および（ｂ）ＩＩｂ−ＩＩｂ線に沿う水平断面図である。
【図３】ボルトの（ａ）平面図および（ｂ）ＩＩＩｂ−ＩＩＩｂ線に沿う断面図である。
【図４】ナットの（ａ）正面図、（ｂ）側面図および（ｃ）平面図である。
【図５】２つのパネルを平連結した状態を示す、図１のＶ−Ｖ線に沿う部分拡大水平断面図である。
【図６】２つのパネルをコーナー連結した状態を示す部分拡大水平断面図である。
【符号の説明】
【００３０】
１    パネル
１Ｌ  左パネル
１Ｒ  右パネル
２Ａ  順ナット
２Ｂ  逆ナット
３ａ  順ねじ孔
３ｂ  逆ねじ孔
４    ボルト
４ａ  順ねじ
４ｂ  逆ねじ
４ｃ  本体部（操作部）
５    側面穴
５Ｌ  左側面穴（ボルト挿入穴）
５Ｒ  右側面穴（ボルト挿入穴、ナット挿入穴）
６    正面穴
６Ｌ  左正面穴（ナット挿入穴）
６Ｒ  右正面穴（ナット挿入穴、ボルト挿入穴）
７    レンチ挿入穴
９    側面
９Ｌ  左側面
９Ｒ  右側面
１０  正面
１１  六角レンチ（レンチ）
【図１】
2006241947.tif 000003
【図２】
2006241947.tif 000004
【図３】
2006241947.tif 000005
【図４】
2006241947.tif 000006
【図５】
2006241947.tif 000007
【図６】
2006241947.tif 000008